【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】
印刷シミュレーションの対象となるネットワーク上のカラープリンタを選択する選択する第一の選択手段と、
前記対象プリンタのシミュレーション出力を行うネットワーク上のカラープリンタを選択する第二の選択手段と、
シミュレーション出力時のカラーマッチング処理に必要なプロファイルをネットワークを通じて選択するプロファイル選択手段と、
前記選択したプロファイルを用いて画像データにカラーマッチングを行うマッチング手段と、
前記カラーマッチングした画像データを、前記第二の選択手段によって選択したプリンタに出力する出力手段とを有することを特徴とする画像処理装置。
【請求項２】
ネットワーク接続された他サイトのプリンタの出力をシミュレートする画像処理装置であって、
前記シミュレーションの対象にする他サイトのプリンタ、シミュレーション出力を行わせる自サイトのプリンタ、および、前記シミュレーション出力のカラーマッチングに必要なプロファイルを選択するための選択手段と、
前記選択したプロファイルをネットワーク上のプロファイルデータベースから検索し、その使用を、前記シミュレーション対象のプリンタに指示する設定手段と、
前記シミュレーション対象のプリンタにシミュレートすべき画像データを送信し、前記シミュレーション対象のプリンタから返される画像データを前記シミュレーション出力用のプリンタに転送する通信手段とを有することを特徴とする画像処理装置。
【請求項３】
前記シミュレーション対象のプリンタは、使用が指示されたプロファイルを用いて、受信される画像データにカラーマッチングを施し、カラーマッチングを施した画像データをビットマップデータに展開し、展開したビットマップデータを所定フォーマットの画像データに変換した後、前記通信手段に返すことを特徴とする請求項2に記載された画像処理装置。
【請求項４】
前記選択手段により、前記シミュレーション対象のプリンタから返される画像データのフォーマットを選択可能であることを特徴とする請求項3に記載された画像処理装置。
【請求項５】
ネットワーク接続された他サイトのプリンタの出力をシミュレートする画像処理装置であって、
前記シミュレーションの対象にする他サイトのプリンタ、シミュレーション出力を行わせる自サイトのプリンタ、および、前記シミュレーション出力のカラーマッチングに必要なプロファイルを選択するための選択手段と、
前記選択したプロファイルをネットワーク上のプロファイルデータベースから検索し、その使用を、前記シミュレーション対象のプリンタが接続されたサイトのサーバに指示する設定手段と、
前記サーバにシミュレートすべき画像データを送信し、前記サーバから返される画像データを前記シミュレーション出力用のプリンタに転送する通信手段とを有することを特徴とする画像処理装置。
【請求項６】
前記サーバは、使用が指示されたプロファイルを用いて、受信される画像データにカラーマッチングを施し、カラーマッチングを施した画像データを前記シミュレーション対象のプリンタへ転送することを特徴とする請求項5に記載された画像処理装置。
【請求項７】
前記シミュレーション対象のプリンタは、受信される画像データをビットマップデータに展開し、展開したビットマップデータを所定フォーマットの画像データに変換した後、前記サーバに返すことを特徴とする請求項6に記載された画像処理装置。
【請求項８】
前記シミュレーション出力用のプリンタは、受信される画像データに基づく画像を記録媒体に形成することを特徴とする請求項2から請求項7の何れかに記載された画像処理装置。
【請求項９】
ネットワーク接続された他サイトのプリンタの出力をシミュレートする画像処理方法であって、
前記シミュレーションの対象とする他サイトのプリンタ、シミュレーション出力を行わせる自サイトのプリンタ、および、前記シミュレーション出力のカラーマッチングに必要なプロファイルを選択し、
前記選択したプロファイルをネットワーク上のプロファイルデータベースから検索し、その使用を、前記シミュレーション対象のプリンタに指示し、
前記シミュレーション対象のプリンタにシミュレートすべき画像データを送信し、前記シミュレーション対象のプリンタから返される画像データを前記シミュレーション出力用のプリンタに転送することを特徴とする画像処理方法。
【請求項１０】
ネットワーク接続された他サイトのプリンタの出力をシミュレートする画像処理方法であって、
前記シミュレーションの対象とする他サイトのプリンタ、シミュレーション出力を行わせる自サイトのプリンタ、および、前記シミュレーション出力のカラーマッチングに必要なプロファイルを選択し、
前記選択したプロファイルをネットワーク上のプロファイルデータベースから検索し、その使用を、前記シミュレーション対象のプリンタが接続されたサイトのサーバに指示し、
前記サーバにシミュレートすべき画像データを送信し、前記サーバから返される画像データを前記シミュレーション出力用のプリンタに転送することを特徴とする画像処理方法。
【請求項１１】
情報処理装置を制御して、請求項8または請求項9に記載された画像処理を実行することを特徴とするプログラム。
【請求項１２】
請求項10に記載されたプログラムが記録されたことを特徴とする記録媒体。
【手続補正２】
【補正対象書類名】明細書
【補正対象項目名】００１０
【補正方法】変更
【補正の内容】
【００１０】
本発明にかかる画像処理装置は、印刷シミュレーションの対象となるネットワーク上のカラープリンタを選択する選択する第一の選択手段と、前記対象プリンタのシミュレーション出力を行うネットワーク上のカラープリンタを選択する第二の選択手段と、シミュレーション出力時のカラーマッチング処理に必要なプロファイルをネットワークを通じて選択するプロファイル選択手段と、前記選択したプロファイルを用いて画像データにカラーマッチングを行うマッチング手段と、前記カラーマッチングした画像データを、前記第二の選択手段によって選択したプリンタに出力する出力手段とを有することを特徴とする。
【手続補正３】
【補正対象書類名】明細書
【補正対象項目名】００１１
【補正方法】変更
【補正の内容】
【００１１】
また、ネットワーク接続された他サイトのプリンタの出力をシミュレートする画像処理装置であって、前記シミュレーションの対象にする他サイトのプリンタ、シミュレーション出力を行わせる自サイトのプリンタ、および、前記シミュレーション出力のカラーマッチングに必要なプロファイルを選択するための選択手段と、前記選択したプロファイルをネットワーク上のプロファイルデータベースから検索し、その使用を、前記シミュレーション対象のプリンタに指示する設定手段と、前記シミュレーション対象のプリンタにシミュレートすべき画像データを送信し、前記シミュレーション対象のプリンタから返される画像データを前記シミュレーション出力用のプリンタに転送する通信手段とを有することを特徴とする。
【手続補正４】
【補正対象書類名】明細書
【補正対象項目名】００１２
【補正方法】変更
【補正の内容】
【００１２】
また、ネットワーク接続された他サイトのプリンタの出力をシミュレートする画像処理装置であって、前記シミュレーションの対象にする他サイトのプリンタ、シミュレーション出力を行わせる自サイトのプリンタ、および、前記シミュレーション出力のカラーマッチングに必要なプロファイルを選択するための選択手段と、前記選択したプロファイルをネットワーク上のプロファイルデータベースから検索し、その使用を、前記シミュレーション対象のプリンタが接続されたサイトのサーバに指示する設定手段と、前記サーバにシミュレートすべき画像データを送信し、前記サーバから返される画像データを前記シミュレーション出力用のプリンタに転送する通信手段とを有することを特徴とする。
【手続補正５】
【補正対象書類名】明細書
【補正対象項目名】００１３
【補正方法】変更
【補正の内容】
【００１３】
本発明にかかる画像処理方法は、ネットワーク接続された他サイトのプリンタの出力をシミュレートする画像処理方法であって、前記シミュレーションの対象とする他サイトのプリンタ、シミュレーション出力を行わせる自サイトのプリンタ、および、前記シミュレーション出力のカラーマッチングに必要なプロファイルを選択し、前記選択したプロファイルをネットワーク上のプロファイルデータベースから検索し、その使用を、前記シミュレーション対象のプリンタに指示し、前記シミュレーション対象のプリンタにシミュレートすべき画像データを送信し、前記シミュレーション対象のプリンタから返される画像データを前記シミュレーション出力用のプリンタに転送することを特徴とする。
【手続補正６】
【補正対象書類名】明細書
【補正対象項目名】００１４
【補正方法】変更
【補正の内容】
【００１４】
また、ネットワーク接続された他サイトのプリンタの出力をシミュレートする画像処理方法であって、前記シミュレーションの対象とする他サイトのプリンタ、シミュレーション出力を行わせる自サイトのプリンタ、および、前記シミュレーション出力のカラーマッチングに必要なプロファイルを選択し、前記選択したプロファイルをネットワーク上のプロファイルデータベースから検索し、その使用を、前記シミュレーション対象のプリンタが接続されたサイトのサーバに指示し、前記サーバにシミュレートすべき画像データを送信し、前記サーバから返される画像データを前記シミュレーション出力用のプリンタに転送することを特徴とする。